(57)【要約】【課題】  電球、蛍光燈等の故障、不具合に関する自助能力に関して、改善の余地があり、本発明は、この欠点を解決するためになされたものである。【解決手段】  電球、蛍光燈等の部品群の中で、故障、不具合の起こりやすいフィラメント（２）の予備（３）を電球、蛍光燈等の内部に用意してその寿命を延ばし、最後にこれらから通電する回路を選べる、回転式コンセント型回路（９）を電球、蛍光燈等の形はそのままにそなえる。  また、電球、蛍光燈等が人手に届きにくい所にある場合、回転式コンセント型回路（９）を分割可能として本体から切り離し、手元で操作出来るようにする。  本発明は、以上の構成よりなる「再利用可能式電球、蛍光燈等と分割可能式回路」である。【選択図】              図１
2008288211.tif 000002
【特許請求の範囲】
【請求項１】
蛍光燈の中の蛍光放電管内部にフィラメントを
正規と予備の２ 本以上ずつ、計４ 本以上用意しておき、
蛍光放電管内のフィラメントの切替え操作及び
電源のＯ Ｎ ， Ｏ Ｆ Ｆ を行なうためのチャンネル・バーを備えた
複数フィラメント内蔵型蛍光燈。
【請求項２】
蛍光燈を途中で３ 分割し、
切り離してその間を電流でつなぐためのものである
請求項１に記載の
複数フィラメント内蔵型蛍光燈。
【発明の詳細な説明】
【技術分野】
【０００１】
本発明は、従来の電球、蛍光燈等が、必要最小限のもので構成され、どこか１ 箇所の故障、不具合で、電球１ 個、蛍光燈１ 本、すべてが使用不能となるのに対して、最初は不必要な、予備の部品を加えることによって、再利用を可能とする、電球、蛍光燈等の予備部品の追加技術とその利用技術に関するものである。
【背景技術】
【０００２】
従来、電球、蛍光燈等は必要最小限のもので構成され、どこか１ 箇所の故障、不具合で、電球１ 個、蛍光燈１ 本、すべてが使用不能となる、というのが現状である。
【発明の開示】
【発明が解決しようとする課題】
【０００３】
電球、蛍光燈等はその発明以来着実に進歩しており、またその種類も膨大なものになってきている。
しかし、故障、不具合に関する自助能力に関しては、まだまだ改善の余地があり、その
どこか１ 箇所の故障、不具合で、電球１ 個、蛍光燈１ 本、すべてが使用不能となり、多くの場合、そこで放棄されるか、再利用されるにしてもそのリサイクルはかなりの作業とな
り、なかなか難しいのが現状である。
ところで、「どこか１ 箇所の故障、不具合」と述べたが、電球、蛍光燈等の場合、故障
、不具合とは、ほとんどフィラメント（ ２ ） の切断である。
よく起こる、またほとんどそれしか起こらない、フィラメント（ ２ ） の切断だけの原因
でもって、他の部品はまだ十分使用可能な電球１ 個、蛍光燈１ 本、すべてが使用不能となる。
そして、その電球、蛍光燈等等が高いところにある場合、たとえば、道路、広場、野球
場などの照明の場合、フィラメント（ ２ ） の切断だけの原因でもって、ほとんど工事とも
言える作業を課されることになる。
この、毎回工事並みの作業をしなければならないというのは、作業効率の点からも、ま
た先の部品の品質管理の統一性の観点からも、やはり１ つの欠点といえよう。
本発明は、この欠点を解決するためになされたものである。
【課題を解決するための手段】
【０００４】
「再利用可能式電球」  〔図１ 〜 ４ 〕
通常の電球では２ 本のリード線（ ４ ） の間に１ 本のフィラメント（ ２ ） が通されているが、発明品では、これに予備（ ３ ） を加えて２ 本にし、以下片方の電気の通り道をすべて２ つづつよういする。
そして、電球を途中で分割し、その間を回転式コンセント型回路（ ９ ） でつないで、片
方の回路にのみ通電し、その回路が故障、不具合を起こしたとき、回転式コンセント回路
（ ９ ） を１ ８ ０ 度回転してもう一方につなぐ。
【０００５】
「分割可能式回路」  〔図１ １ 、１ ２ 〕
さらに、電球等が高いところにある場合等、人手に届きにくい場合には、回転式コンセ
ント型回路（ ９ ） とその関連部分だけを人間の手元に残しておく。
【０００６】
「再利用可能式蛍光燈」  〔図５ 〜 ７ 〕
同様に、通常の蛍光燈は蛍光放電管（ ２ ７ ） の両端に、フィラメント（ ２ ） の放電電極をそれぞれ１ 個づつ備えているが、発明品では、これに予備（ ３ ） を加えて２ 個づつとし、電極（ ２ １ 、２ ６ ） に繋がるポイントも４ 個づつとして、４ 本の差し込み極をもち、そこから回転することによって最後に２ つを選べる、回転式コンセント回路（ ９ ） をそなえる。
【０００７】
「分割可能式回路」  〔図１ １ 、１ ２ 〕
そして、蛍光燈等が高いところにある場合等、人手に届きにくい場合には、回転式コン
セント型回路（ ９ ） とその関連部分だけを人間の手元に残しておく。
本発明は、以上の構成よりなる「再利用可能式電球、蛍光燈等と分割可能式回路」である。
【発明の効果】
【０００８】
本発明品を使用することによって、電球、蛍光燈等の寿命は、約２ 倍になるといえる。
もちろん、回路の数を２ つにかぎらず３ 個以上に増やす事も可能で、ここから先は、電球、蛍光燈等の部品の中でフィラメント（ ２ 、３ ） の次に故障しやすいものとの、お互いの寿命の問題と、電球、蛍光燈等の中のスペースの問題となろう。
今回、回転式コンセント型回路（ ９ ） の受け口（ １ １ 、１ ６ ） と差し込み極（ ８ 、１ ５） は、蛍光放電管（ ２ ７ ） の両端から差し込み極（ ８ 、１ ５ ） をだし、その両側の回転式コンセント型回路（ ９ ） の側に受け口（ １ １ 、１ ６ ） を用意する設定で話を進めているが、この両者は逆でもよい。
これは、電球の場合も同様である。
また、回転式コンセント型回路（ ９ ） のみを可動とし、その他を柱（ ２ ８ ） で固定し、フィラメント（ ２ ） が切断したとき、回転式コンセント型回路（ ９ ） だけを回転させれば
新しい回路に通電できるという形もある。
このさいは、各差し込み極（ ８ 、１ ５ ） の先にも、抵抗物（ ３ １ ） を設け、固定化部分の抜けを防止する。
また一方、電球等が高いところにある場合等、人手に届きにくい場合には、回転式コン
セント型回路（ ９ ） とその関連部分だけを、本体から切り離して人間の手元に残しておき、チャンネル・バー（ ３ ２ ） でフィラメントの切り替え操作及び電源のＯ Ｎ ， Ｏ Ｆ Ｆ を容易に出来るようにする。
本発明のポイントは、従来のタイプとほぼ同型の電球、蛍光燈等に新たに予備回路を備えることである。
本発明の応用によって、電球、蛍光燈等以外でも、点燈管（ ２ ３ ） 、ヒューズ、アーク
燈、ナトリウムランプ、水銀燈、赤外線ランプなどその他多くのものでも同様のことが出
来る。
電球１ 個、蛍光燈１ 本を備え付けるのにも、ガラス（ １ ） の加工、そこに封入するアルゴンガス（ １ ３ ） 、そして備え付け工事等、さまざまな作業と手間がかかっているが、本発明によって、それらの作業と手間の成果をより長く有効にすることが出来るのである。
【発明を実施するための最良の形態】
【０００９】
以下、本発明の実施の形態を説明する。
「再利用可能式電球」  〔図１ 〜 ４ 、８ 〜 １ ０ 〕
発明品は、通常の電球の２ 本のリード線（ ４ ） の間の１ 本のフィラメント（ ２ ） に予備（ ３ ） を加えて２ 本にし、以下片方の電気の通り道すなわち、リード線（ ４ ） 、ジュメット線（ ６ ） 、をすべて２ つづつよういする。
そして、電球を途中で２ 分割し、その間を回転式コンセント回路（ ９ ） でつないで、片
方の回路にのみ通電し、その回路が故障、不具合を起こしたとき、回転することによって
、もう一方につなぐ。
すなわち、Ａ 極（ ７ ） 関係は通常と変わらないが、フィラメント（ ２ ） から先の部品はＢ １ 回路、Ｂ ２ 回路の２ 回路を用意し、片方が働いている間、もう片方は予備となる。
ここで、回転式コンセント回路（ ９ ） とは、電球を途中で２ 分割し、その間を電流でつ
なぐためのものであり、回転して使えるように、通常のコンセントでは２ 本の差し込み極
を互いに平行にしてそれぞれの受け口（ １ １ 、１ ６ ） に差し込むところを、回転式コンセント回路（ ９ ） では、２ 本以上の曲がった差し込み極（ ８ 、１ ５ ） を円柱状の溝（ １ ８ ）に沿って並べる回路とする。
このさい、差し込み極（ ８ 、１ ５ ） と受け口（ １ １ 、１ ６ ） 各々自身も円柱状の溝（ １８ ） にあわせて曲がっていることになる。
なお、各差し込み極（ ８ 、１ ５ ） の先端（ ２ ９ ） と両脇（ ３ ０ ） には、差し込み、回転して使えるように、切り込み（ ２ ９ 、３ ０ ） が入れてある。
さて、電球を使用中に、よくあるフィラメント（ ２ ） の切断が起こってしまった場合、
これまでのように電球そのものを取り替える必要はなく、回転式コンセント型回路（ ９ ）
の受け口（ １ １ 、１ ６ ） に差し込んである差し込み極（ ８ 、１ ５ ） を１ ８ ０ 度回転して、通電する回路を、これまでのＢ １ 回路から予備のＢ ２ 回路に切り替え、これまでと同様に電球を使用することが可能となる。
このさい、切断したフィラメント（ ２ ） が予備（ ３ ） の回路に重なって邪魔をしないよ
う、アンカー（ １ ２ ） も２ つ以上に増やしておく。
【００１０】
「分割可能式回路」  〔図１ １ 、１ ２ 〕
最後に、電球等が高いところにある場合等、人手に届きにくい場合には、回転式コンセ
ント型回路（ ９ ） とその関連部分だけを、本体から切り離して人間の手元に残しておき、チャンネル・バー（ ３ ２ ） でフィラメントの切り替え操作及び電源のＯ Ｎ ， Ｏ Ｆ Ｆ を容易に出来るようにする。
【００１１】
「再利用可能式蛍光燈」  〔図５ 〜 ７ 、９ 、１ ０ 〕
まず、通常の蛍光燈は、蛍光放電管（ ２ ７ ） の両端に、フィラメント（ ２ ） の放電電極をそれぞれ１ 個づつ備えているが、発明品では、これに予備（ ３ ） を加えて２ 個づつにし、電極（ ２ １ 、２ ６ ） に繋がるポイントも４ 個づつとし、それぞれが差し込み極（ ８ 、１５ ） をもっていて、最後にこれら４ つの回路から、回転式コンセント回路（ ９ ） を回転することによって２ つを選べる状態にする。
ここで、回転式コンセント型回路（ ９ ） とは、蛍光燈を途中で３ 分割し、その間を電流
でつなぐためのものであり、回転して使えるように、通常のコンセントでは２ 本の差し込
み極を互いに平行にしてそれぞれの受け口（ １ １ 、１ ６ ） に差し込むところを、回転式コンセント型回路（ ９ ） では、４ 本以上の曲がった差し込み極（ ８ 、１ ５ ） を円柱状の溝（１ ８ ） に沿って並べる回路とする。
このさい、差し込み極（ ８ 、１ ５ ） と受け口（ １ １ 、１ ６ ） 各々自身も円柱状の溝（ １８ ） にあわせて曲がっていることになる。
なお、各差し込み極（ ８ 、１ ５ ） の先端（ ２ ９ ） と両脇（ ３ ０ ） には、差し込み、回転して使えるように、切り込み（ ２ ９ 、３ ０ ） が入れてある。
また、フィラメント（ ２ ） の増設にあたっては、新たに増設するフィラメント（ ３ ） 間
の距離（ ２ ５ ） を、最初のもの（ ２ ４ ） と同一となるようにする。
さて、普段は通常と変わらないが、蛍光燈を使用中に、よくあるフィラメント（ ２ ） の
切断が起こってしまった場合、これまでのように蛍光燈そのものを取り替える必要はなく
、蛍光放電管（ ２ ７ ） の両端の回転式コンセント回路（ ９ ） を使って、受け口（ １ １ 、１６ ） に差し込む差し込み極（ ８ 、１ ５ ） を９ ０ 度回転して、通電する回路をこれまでのフィラメント（ ２ ） 関係の回路から予備のフィラメント（ ３ ） 関係の回路に切り替え、これまでと同様に蛍光燈を使用することが可能となる。
このさい、切断したフィラメント（ ２ ） が予備（ ３ ） の回路に重なって邪魔をしないよ
う、あらたにアンカー（ １ ２ ） も用意しておく。
【００１２】
「分割可能式回路」  〔図１ １ 、１ ２ 〕
最後に、電球等が高いところにある場合等、人手に届きにくい場合には、回転式コンセ
ント型回路（ ９ ） とその関連部分だけを、本体から切り離して人間の手元に残しておき、チャンネル・バー（ ３ ２ ） でフィラメントの切り替え操作及び電源のＯ Ｎ ， Ｏ Ｆ Ｆ を容易に出来るようにする。
【図面の簡単な説明】
【００１３】
【図１】電球の平面図１
【図２】回転式コンセント型回路を上から見た図
【図３】電球の斜面図
【図４】電球と回転式コンセント型回路の接合部の斜面図
【図５】蛍光燈の平面図
【図６】蛍光放電管と回転式コンセント型回路の斜面図１
【図７】蛍光放電管と回転式コンセント型回路の斜面図２
【図８】電球の平面図２
【図９】差し込み極の拡大斜面図１
【図１０】差し込み極の拡大斜面図２
【図１１】蛍光燈等が高いところにある場合の斜面図
【図１２】移転後の回転式コンセント型回路とその関連部品の拡大図
【符号の説明】
【００１４】
１   ガラス球      ２   フィラメント      ３   予備のフィラメント
４   リード線      ５   ステム      ６   ジュメット線      ７   Ａ 極
８   予備の差し込み極      ９   回転式コンセント型回路（ 回転可能）
１ ０   差し込み極の穴を捕らえる受け口の突起      １ １   ダミーの受け口
１ ２   アンカー      １ ３   アルゴンガス      １ ４   口金
１ ５   差し込み極      １ ６   受け口      １ ７   Ｂ 極
１ ８   差し込み極の通る溝      １ ９   電線
２ ０   受け口の突起にかかる差し込み極の穴      ２ １   Ｃ 極
２ ２   安定器      ２ ３   点燈管      ２ ４   フィラメント間の距離
２ ５   新たに増設するフィラメント間の距離      ２ ６   Ｄ 極
２ ７   蛍光放電管
２ ８   回転式コンセント型回路以外の固定化部分をつなぐ柱
２ ９   差し込み極先端部の切り込み      ３ ０   差し込み極両端部の切り込み
３ １   抜け防止のための抵抗物      ３ ２   チャンネル・バー
３ ３   チャンネルＯ Ｆ Ｆ のための空間
【図１】
2008288211.tif 000003
【図２】
2008288211.tif 000004
【図３】
2008288211.tif 000005
【図４】
2008288211.tif 000006
【図５】
2008288211.tif 000007
【図６】
2008288211.tif 000008
【図７】
2008288211.tif 000009
【図８】
2008288211.tif 000010
【図９】
2008288211.tif 000011
【図１０】
2008288211.tif 000012
【図１１】
2008288211.tif 000013
【図１２】
2008288211.tif 000014